【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
三相交流電路の各相の入力ＣＴ、前記各相の入力ＣＴの出力回路の共通電路に接続された保護継電器、前記各相の入力ＣＴのそれぞれの負荷側に設けられ対応する前記三相交流電路を選択切換により接地する各相の接地開閉器、及び前記各相の接地開閉器の接地回路の電流の合成電流が流れる共通接地線を備え、前記共通接地線が前記各相の入力ＣＴの何れか一つの入力ＣＴの一次導体の貫通孔に当該一次導体と逆極性に貫通し、停止回線に流れる三相不平衡電流に基づく前記各相の入力ＣＴの二次出力電流が前記各相の入力ＣＴの出力回路の共通電路で相殺されるようにした保護継電器の誤動作防止装置。
【請求項２】
請求項１に記載の保護継電器の誤動作防止装置において、前記各相の接地開閉器の接地回路の電流が短絡バーにより合成されることを特徴とする保護継電器の誤動作防止装置。
【請求項３】
請求項１又は請求項２に記載の保護継電器の誤動作防止装置において、前記三相交流電路が絶縁ケーブルからなる三相の受電線であり、当該三相の受電線と前記各相の入力ＣＴと前記各相の接地開閉器と前記各相の接地開閉器の接地回路と前記共通接地線とが同じ配電盤に設けられていることを特徴とする保護継電器の誤動作防止装置。
【請求項４】
請求項３に記載の保護継電器の誤動作防止装置において、前記保護継電器が前記配電盤に設けられていることを特徴とする保護継電器の誤動作防止装置。 
【手続補正２】
【補正対象書類名】明細書
【補正対象項目名】０００３
【補正方法】変更
【補正の内容】
【０００３】
複数回線を選択的に運転、停止するために遮断器は、一般的に配電盤（金属閉鎖型スイッチギア、ガス絶縁開閉装置、気中絶縁開閉装置等を総称して「配電盤」という）等に内蔵され、この配電盤には接地開閉器や地絡過電流保護継電器５１Ｇ等の保護継電器が各回線毎に設けられている。地絡過電流保護継電器５１Ｇ等の保護継電器は、配電盤等内の回線単位の三相絶縁ケーブルの各々を一次導体とする各相ＣＴ（変流器）の二次出力を動作電流として入力している。 
【手続補正３】
【補正対象書類名】明細書
【補正対象項目名】０００８
【補正方法】変更
【補正の内容】
【０００８】
従って、ＵＶＷ三相絶縁ケーブルを流れる誘導電流は、三相絶縁ケーブルの各々を一次導体とする各相ＣＴ（変流器）の二次出力にも現れるので、各相ＣＴ（変流器）の二次出力も三相不平衡電流の状態となり、各相ＣＴ（変流器）の二次出力を利用する地絡過電流保護継電器５１Ｇ等の保護継電器が動作（不要動作、あるいは誤動作）する可能性がある。 
【手続補正４】
【補正対象書類名】明細書
【補正対象項目名】００１０
【補正方法】変更
【補正の内容】
【００１０】
この発明に係る保護継電器の誤動作防止装置は、三相交流電路の各相の入力ＣＴの出力回路の共通電路に接続された保護継電器、前記各相の入力ＣＴのそれぞれの負荷側に設けられ対応する前記三相交流電路を選択切換により接地する各相の接地開閉器、及び前記各相の接地開閉器の接地回路の電流の合成電流が流れる共通接地線を備え、前記共通接地線が前記各相の入力ＣＴの何れか一つの入力ＣＴの一次導体の貫通孔に当該一次導体と逆極性に貫通し、停止回線に流れる三相不平衡誘導電流に基づく前記各相の入力ＣＴの二次出力電流が前記各相の入力ＣＴの出力回路の共通電路で相殺されるようにしたものである。 
【手続補正５】
【補正対象書類名】明細書
【補正対象項目名】００１１
【補正方法】変更
【補正の内容】
【００１１】
この発明は、三相交流電路の各相の入力ＣＴの出力回路の共通電路に接続された保護継電器、前記各相の入力ＣＴのそれぞれの負荷側に設けられ対応する前記三相交流電路を選択切換により接地する各相の接地開閉器、及び前記各相の接地開閉器の接地回路の電流の合成電流が流れる共通接地線を備え、前記共通接地線が前記各相の入力ＣＴの何れか一つの入力ＣＴの一次導体の貫通孔に当該一次導体と逆極性に貫通し、停止回線に流れる三相不平衡誘導電流に基づく前記各相の入力ＣＴの二次出力電流が前記各相の入力ＣＴの出力回路の共通電路で相殺されるようにしたので、電力系統における運用回線から停止回線への三相不平衡誘導電流または対地静電容量からの三相不平衡放電電流による停止回線における保護継電器の誤動作を防止することが可能であり、電力系統における運用回線から停止回線への三相不平衡誘導電流または対地静電容量からの三相不平衡放電電流による停止回線における保護継電器の誤動作を防止することが可能な保護継電器の誤動作防止装置を容易に実現できる効果がある。 
【手続補正６】
【補正対象書類名】明細書
【補正対象項目名】００１４
【補正方法】変更
【補正の内容】
【００１４】
図１に例示のように、変電所Ｓ／Ｓに２回線の送電線Ｌ１，Ｌ２が接続され、当該送電線Ｌ１，Ｌ２は例えば送電用鉄塔ＴＴにより空中回線として例えば２２ｋＶで送電する。 
【手続補正７】
【補正対象書類名】明細書
【補正対象項目名】００２６
【補正方法】変更
【補正の内容】
【００２６】
つまり、図６に例示のように、受電線ＲＬ２の三相各相はＩＣＵ，ＩＣＶ，ＩＣＷと標記してあるが、これら三相各相の受電ケーブルＩＣＵ，ＩＣＶ，ＩＣＷに流れる三相不平衡誘導電流を一次電流として、例えば、Ｕ相の受電ケーブルＩＣＵを一次導体とするＣＴ（変流器）ＣＴＵの二次出力電流ｉｕと、Ｖ相の受電ケーブルＩＣＶを一次導体とするＣＴ（変流器）ＣＴＶの二次出力電流ｉｖと、Ｗ相の受電ケーブルＩＣＷを一次導体とするＣＴ（変流器）ＣＴＷの二次出力電流ｉｗとが、それらの大きさ、方向が同じでなくなり、例えばそれらの方向は図示矢印のように二次出力電流ｉｖおよび二次出力電流ｉｗと二次出力電流ｉｕとが逆方向となり、それらの大きさはｉｕ＋ｉｖ＋ｉｗ≠０とならず、ｉｕ＋ｉｖ＋ｉｗの差電流が、残留回路ＲＣＣ（ＣＴＵとＣＴＶとＣＴＷとの共通電路（図示の太線で表示の回路））に接続された地絡過電流保護継電器５１Ｇの動作電流として流れ、当該差電流が地絡過電流保護継電器５１Ｇの動作値を超える場合は、地絡過電流保護継電器５１Ｇは動作する。すなわち、地絡過電流保護継電器５１Ｇは地絡事故電流以外で動作することになるので誤動作することになる。
換言すれば、地絡過電流保護継電器５１Ｇの各相入力ＣＴの一次導体（受電ケーブル）ＩＣＵ，ＩＣＶ，ＩＣＷに対応する系統の停止回線Ｌ２に三相不平衡誘導電流が流れた場合、当該三相不平衡誘導電流の合成差電流が大きい場合には、停止回線Ｌ２に対応の地絡過電流保護継電器５１Ｇが誤動作する。 
【手続補正８】
【補正対象書類名】明細書
【補正対象項目名】００２８
【補正方法】変更
【補正の内容】
【００２８】
その具体的手段の事例は、図６に例示のように、地絡過電流保護継電器５１Ｇの入力ＣＴ（変流器）ＣＴＵ，ＣＴＶ，ＣＴＷの各々の負荷側に接続された接地開閉器ＥＳＵ，ＥＳＶ，ＥＳＷの接地回路ＥＣＵ，ＥＣＶ，ＥＣＷに流れる三相不平衡誘導電流を例えば短絡バーＳＢで合成し、短絡バーＳＢで合成された三相不平衡誘導電流が、短絡バーＳＢの接地側に接続された共通接地線ＣＥＣを通ってアースに流れるように構成すると共に、共通接地線ＣＥＣを、地絡過電流保護継電器５１Ｇの入力ＣＴ（変流器）ＣＴＵ，ＣＴＶ，ＣＴＷの何れか一つ、例えば入力ＣＴ（変流器）ＣＴＵ、の一次導体の貫通孔（一次導体である受電線ＩＣＵの貫通孔）（以下、「一次導体貫通孔」と略記する）に当該一次導体と逆極性となるように貫通した構成としてある。 
【手続補正９】
【補正対象書類名】明細書
【補正対象項目名】００３８
【補正方法】変更
【補正の内容】
【００３８】
ＣＢ１１，ＣＢ１２，ＣＢ２１，ＣＢ２２    遮断器、
ＣＥＣ    共通接地線、            Ｃｅ    対地静電容量、
ＣＴ    変流器、                ＣＴＵ    Ｕ相入力ＣＴ、
ＣＴＶ    Ｖ相入力ＣＴ、        ＣＴＷ    Ｗ相入力ＣＴ、
ＤＳＢ    受電盤、              ＥＣＵ    Ｕ相接地回路、
ＥＣＶ    Ｖ相接地回路、        ＥＣＷ    Ｗ相接地回路、
ＥＳ    接地開閉器、            ＥＳＵ    Ｕ相接地開閉器、
ＥＳＶ    Ｖ相接地開閉器、      ＥＳＷ    Ｗ相接地開閉器、
ＦＬ１，ＦＬ２    給電線、
ＩＣＵ，ＩＣＶ，ＩＣＷ    受電ケーブル（三相交流電路）（各相受電線）、
Ｌ    負荷、                      Ｌ１    ３相交流送電線（運用回線）、
Ｌ２    ３相交流送電線（停止回線）、
ＲＣＣ    残留回路、    ＲＬ１，ＲＬ２    受電線、
ＳＢ    短絡バー、              Ｓ／Ｓ    変電所、
Ｔｒ１、Ｔｒ２    変圧器、        ＴＴ    送電用鉄塔、
ｕ１，ｖ２，ｗ３，ｕ４，ｖ５，ｗ６    各相送電線、
５０，５１    過電流保護継電器、
５１Ｇ    地絡過電流保護継電器。